(57)【要約】  本発明は、座席調整駆動装置（２）によって座位で制御される運転席（３）と、ハンドル調整駆動装置（４）によってハンドル位置で調整可能なハンドル（５）とを備える自動車用の安全装置（１）に関する。本発明の装置には、車両の運転モードの安全性に関連するデータ（７）を評価する制御ユニット（６）が設けられ、予想された事故状況になる前に、ハンドルの動作が、実際の運転席位置に従って最適なハンドル位置に起動されるように、本発明の装置がハンドル調整駆動装置（４）を一時的に制御し、これによって、安全要件を保証することを特徴とする。
2007526167.tif 000002
【特許請求の範囲】
【請求項１】
座席調整駆動装置（２）によって座位を調整できる運転席（３）を有し、ハンドル調整駆動装置（４）によってハンドル位置を調整できるハンドル（５）を有する自動車用の安全装置（１）において、
運転モードの安全性に関連するデータ（７）を評価する制御ユニット（６）が設けられ、予想された事故事象が発生する前に、前記運転席（３）の現在の座位に応じて、安全性の観点から運転者に対して最適なハンドル位置への前記ハンドル（５）の移動が開始されるようなタイミングで、前記制御ユニットが前記ハンドル調整駆動装置（４）を作動させることを特徴とする安全装置（１）。
【請求項２】
前記事故事象が発生する前に、安全性の観点から前記最適なハンドル位置に達していることを特徴とする請求項１に記載の安全装置（１）。
【請求項３】
安全性の観点から最適なハンドル位置が、前記運転席（３）の各座位に応じてされて、前記制御ユニット（６）に記憶されることを特徴とする請求項１に記載の安全装置（１）。
【請求項４】
前記運転席（３）の座位が、前記運転席（３）の垂直位置、長手方向位置、背もたれの傾斜及び／又は座面クッションの傾斜によって規定されることを特徴とする請求項１に記載の安全装置（１）。
【請求項５】
前記ハンドル位置が、ステアリングコラムの傾斜とステアリングコラムの長さの設定とによって規定されることを特徴とする請求項１に記載の安全装置（１）。
【請求項６】
さらに、前記運転席（３）に関連する膝保護装置（８）が、前記制御ユニット（６）によって作動され、前記膝保護装置（８）が、前記運転席（３）の現在の座位に応じて、安全性の観点から運転者のために最適な膝保護位置に移動されることを特徴とする請求項１に記載の安全装置（１）。
【請求項７】
車両乗員の分類（９）が、前記運転席（３）のために行われ、前記車両乗員の分類（９）に応じて、特に、前記運転者の体格及び／又は体重に応じて、安全性の観点から前記最適なハンドル位置の設定をさらに行うことができることを特徴とする請求項１に記載の安全装置（１）。
【請求項８】
前記運転モードの安全性に関連するデータ（７）が、運転状態変数、周囲データ、及び／又は評価された運転者の動作を含むことを特徴とする請求項１に記載の安全装置（１）。
【請求項９】
前記事故事象が発生しなかった場合に、前記ハンドル（５）が、前記ハンドルの元のハンドル位置に再び移動させられて戻されることを特徴とする請求項１に記載の安全装置（１）。
【発明の詳細な説明】
【技術分野】
【０００１】
本発明は、座席調整駆動装置によって運転席の座位を調整できる運転席を有する請求項１の前段に記載の自動車用の安全装置に関する。
【背景技術】
【０００２】
特許文献１は、車両乗員が要求できる電動調整手段を使用した座位及びハンドル位置の楽な調整が提供される安全装置を開示している。ハンドル及び運転席の調整速度及び調整範囲は、人に関連する変数に応じて、特に、運転者の体重及び体格に応じて規定される。このことは、比較的大きい人々の調整余裕が、それらの人々よりも小さい人々の調整余裕よりも小さくなることを許容する。例えば、比較的大きくて重い人について、調整速度が速すぎた場合、このような人は、十分迅速に調整速度に対応することができず、したがって、ある状況下では、自分が、危険な捕捉位置にいると認識するであろう。このことは、特に、ハンドルが、車内に突出して、安全性の観点から障害物になることがある運転席に当てはまる。
【０００３】
特許文献２は、運転状態データを収集するセンサシステムを有する自動車の可逆的な車両乗員保護手段を作動させるための方法を記載している。自動車の緊急制動操作、オーバステア及びアンダステアは、運転状態データとして監視される。車両乗員保護手段は、このような状態に応じて起動される。さらに、運転状態データから、最大の危険が予想される方向を決定できる。車両乗員保護手段は、保護効果が最も危険な方向に付与されるように作動される。
【０００４】
さらに、特許文献３は、座席上の乗員を固定するためのシートベルト及びベルトプレテンショナを有する車両座席用の拘束ベルトシステムを開示している。対象物までの距離及びそれに対応する相対速度は、装置によって決定される。このことから、車両と対象物との衝突が発生するまでの予想時間を決定できる。制御ユニットは、衝突が発生する前にベルトプレテンショナの力を適時増大させる制御信号を発信する。衝突を回避できた場合、ベルトプレテンショナの力は再び低減される。制御可能なベルトプレテンショナは、衝突前に予め規定されているプレストレスまでのみ有効であるプレテンショナとして具体化され、衝突が実際に検出された場合には、シートベルトをより緊張させるために、別のベルトプレテンショナが起動される。
【０００５】
【特許文献１】独国特許出願公開第１００２９６１３Ａ１号明細書
【特許文献２】独国特許発明第１０１２１３８６Ｃ１号明細書
【特許文献３】独国特許発明第４４１１１８４Ｃ２号明細書
【発明の開示】
【発明が解決しようとする課題】
【０００６】
本発明は、座席調整駆動装置によって運転席の座位を調整できる運転席を有する自動車用の安全装置であって、従来技術から知られている安全装置と比較してある程度向上した車両乗員保護機能を有する安全装置を提供することを目的とする。
【課題を解決するための手段】
【０００７】
上述の目的は、座席調整駆動装置によって運転席の座位を調整できる運転席を有しかつ請求項１の特徴を有する自動車用の安全装置によって達成される。
【０００８】
本発明によれば、制御ユニットは、運転モードの安全性に関連するデータを評価するために、またハンドル調整駆動装置を作動させるために設けられる。予想された事故事象が発生する前に、安全性の観点から運転者のために最適なハンドル位置へのハンドルの移動が、運転席の現在の座位に応じて開始されるようなタイミングで、ハンドル調整駆動装置が作動される。自動車用の安全装置は、座席調整駆動装置によって運転席の座位を調整できる運転席と、ハンドル調整駆動装置によってハンドルのハンドル位置を調整できるハンドルとを備える。本発明のハンドル調整手段の形態では、それぞれの運転者のための保護の程度は、発生している事故事象の間に現在の座位に応じて増大される。エアバッグの最適な展開方向を保証できる。ハンドルと運転者の上半身との間の安全性の観点から最適な角度、並びに安全性の観点から最適化されるハンドルの伸縮方向を調整できる。さらに、運転者が捕捉されることが防止される。予防措置を開始して車両乗員の安全性を向上させるために、事故事象直前の時間が事前に利用される。予防的に機能する安全装置により、車両乗員の予防保護が保証される。
【０００９】
事故事象が発生する前に、安全性の観点から最適なハンドル位置に達していると有利である。このことは、事故事象が発生したときに、安全性の観点からハンドル位置の最適な設定が、既に行われていることによって保証される。実際の事故事象の前に、安全対策が既にとられている。技術的な理由により、いくつかの状況下では、事故事象中に調整を行うことが不可能であり得る。
【００１０】
本発明の一改良形態では、安全性の観点から最適なハンドル位置は、運転席の各座位に応じて規定されて、制御ユニットに記憶される。安全性の観点から最適なハンドル位置は、特性線図と称されるものに記憶され、前記ハンドル位置は、座位との相関関係は別として、それぞれの運転者の身体を示す特性変数との相関関係を有することもでき、これらの特性変数は、例えば、運転者の体格及び体重である。
【００１１】
別の改良形態では、運転席に関連する膝保護装置は、制御ユニットによって作動される。この場合、膝保護装置は、運転席の現在の座位に応じて、安全性の観点から運転者のために最適な膝保護位置に移動される。この改良形態によって、車両乗員保護機能がさらに向上する。
【００１２】
運転モードの安全性に関連するデータは、特に、運転状態変数であり得る。車両速度、ヨー加速度、縦方向加速度及び横方向加速度、ブレーキペダル位置及びアクセルペダル位置、並びにハンドル角のような変数は、運転状態変数として用いられる。さらに、点滅灯及び危険警告点滅灯のような操作者により制御される要素の状態、並びに自動車に関連するセンサ及び制御ユニットの状態は、運転状態変数として用いることができる。
【００１３】
その代わりに又はそれに加えて、運転モードの安全性に関連するデータは周囲データであり得る。周囲データと称されるデータは、環境センサ、テレマティックシステムによって、及び自動車と他の自動車及び固定通信システムとの通信によって得られるデータである。周囲データの例は、現在位置に関する、道路分類に関する、及び運転者自身の自動車が走行している車線に関する情報である。別の周囲データは、特に、道路状態、温度、気象、光度条件、並びに前方を走行するか、並走するか、後続するか又は対向する他の道路使用者の自動車の速度、距離、種類及び大きさである。
【００１４】
運転モードの安全性に関連するデータが、評価された運転者の動作である場合に有利である。運転者の動作の検知は、例えば、目の動き、視野方向、並びに例えばハンドル、変速レバー及びブレーキペダルのような操作者により制御される要素の操作者制御工程の検出を含む。安全性に関連する多数のデータ項目を評価することによって、必要な場合に、調整ユニットを使用して、スライディングルーフを閉じるための正確な時間を決定することができる。
【００１５】
本発明の別の有利な改良形態は従属請求項に示されている。
【００１６】
図面の典型的な実施形態を参照して、本発明についてより詳細に説明する。図は、座席調整駆動装置によって運転席の座位を調整できる運転席を有し、ハンドル調整駆動装置によってハンドルのハンドル位置を調整できるハンドルを有する自動車用の安全装置の詳細ブロック図を示している。
【発明を実施するための最良の形態】
【００１７】
自動車用の安全装置１は、図面によれば、座席調整駆動装置２によって運転席３の座位を調整できる運転席３と、ハンドル調整駆動装置４によってハンドル５のハンドル位置を調整できるハンドル５とを備える。
【００１８】
さらに、運転モードの安全性に関連するデータ７を評価する制御ユニット６が設けられる。運転モードの安全性に関連するデータ７は、運転状態変数、周囲データ、及び／又は評価された運転者の動作であり得る。予想された事故事象が発生する前に、安全性の観点から運転者のために最適なハンドル位置へのハンドル５の移動が、運転席３の現在の座位に応じて開始されるようなタイミングで、制御ユニット６はハンドル調整駆動装置４を作動させる。この場合、事故事象が発生する前に、安全性のための最適なハンドル位置に達している場合に有利である。事故事象が発生しなかった場合、ハンドルは、その元のハンドル位置に移動させられて戻される。
【００１９】
安全性の観点から最適なハンドル位置は、運転席３の各座位に応じて規定されて、制御ユニット６に記憶される。運転席３の座位は、運転席３の垂直位置によって、運転席３の長手方向位置によって、背もたれの傾斜によって、及び／又は座面クッションの傾斜によって規定される。ハンドル位置は、ステアリングコラムの傾斜とステアリングコラムの長さの設定とによって規定される。
【００２０】
さらに、運転席３に及び／又は前部乗員席に関連する膝保護装置８は、制御ユニット６によって作動される。膝保護装置８は、運転席３の及び／又は前部乗員席の現在の座位に応じて、安全性の観点から運転者のために最適な膝保護位置に移動される。
【００２１】
その上、運転席３のために、車両乗員の分類９を行うことができる。結果として、車両乗員の分類に応じて、特に、それぞれの運転者の体格及び／又は体重に応じて、安全性の観点から最適なハンドル位置及び膝保護位置の設定をさらに行うことができる。
【００２２】
本発明による自動車用の安全装置１により、高度な車両乗員保護が保証される。ハンドル５は、予想された事故事象の前に、現在の各座位に対して、安全性の観点から最適なハンドル位置に既に移動している。少ない費用で、安全装置１を実装できるが、この理由は、安全装置１の本質的な構成要素が、一般には、標準的な自動車に既に組み込まれているからである。
【図面の簡単な説明】
【００２３】
【図１】座席調整駆動装置によって運転席の座位を調整できる運転席を有し、ハンドル調整駆動装置によってハンドル位置を調整できるハンドルを有する自動車用の安全装置の詳細ブロック図である。
【図１】
2007526167.tif 000003
【国際調査報告】
2007526167.tif 000004
2007526167.tif 000005
2007526167.tif 000006
2007526167.tif 000007